(57)【要約】      （修正有）【課題】  複数本の幹線を１本の支持線で支持させ、同一場所に複数本の幹線を布設する場合等の施工性を、低コストで大幅に向上させる。【解決手段】  複数本の幹線１１に沿って配設される１本の支持線１２が、各幹線１１への分岐線１３の接続部分とともにモールド成形（成形部１４）され、各幹線１１と一体化される。各幹線１１への分岐線の接続部分が、それぞれ各幹線１１の延設方向に位置をずらして配置されることが望ましく、支持線１２の接続部分にそれぞれ対応する所定の位置には留め具が成形前に取り付けられており、支持線１２とともにモールド成形される。【選択図】        図１
2005353300.tif 000002
【特許請求の範囲】
【請求項１】
同一方向に延設される複数本の幹線と、該各幹線にそれぞれ電気的に接続される分岐線と、前記  各幹線に沿って配設され、各幹線への前記分岐線の接続部分とともにモールド成形されることにより、各幹線と一体化される１本の支持線とを備えたことを特徴とする通信ブランチケーブル。
【請求項２】
前記各幹線への前記分岐線の接続部分が、それぞれ前記各幹線の延設方向に位置をずらして配置されることを特徴とする請求項１記載の通信ブランチケーブル。
【請求項３】
前記支持線における前記分岐線の接続部分にそれぞれ対応する所定の位置には、留め具がモールド成形前に取り付けられており、前記各留め具は、それぞれ前記支持線とともにモールド成形されることを特徴とする請求項１又は２記載の通信ブランチケーブル。
【発明の詳細な説明】
【技術分野】
【０００１】
本発明は、電話、同軸、ＬＡＮ等の複数本の弱電系ブランチケーブルを同一場所に布設するために用いられる通信ブランチケーブルに関する。
【背景技術】
【０００２】
従来より、支持線を幹線に一体化させた自己支持形ケーブルを用いた通信ブランチケーブルは知られている（特許文献１参照）。
【０００３】
図４及び図５は、それぞれ自己支持形ケーブルを用いた通信ブランチケーブルを示す図である。
図４及び図５に示されるように、通信ブランチケーブルとしては、布設時及び布設後に幹線２１に荷重がかからぬよう、支持線２２を幹線２１に一体化させた自己支持形ケーブル２０が用いられている。
【０００４】
すなわち、自己支持形ケーブル２０は、シース２３内に収容された幹線２１と、幹線２１のシース２３にブリッジ部２４を介して一体化された支持線２２とから構成されている。幹線２１は、絶縁体２５により被覆された複数本の導体２６を、押さえ巻きテープ２７、ドレンワイヤ２８及び金属箔テープ２９で被覆されており、幹線２１には、分岐線３０が電気的に接続されている。
幹線２１への分岐線３０の接続は、以下のように行われる。すなわち、幹線２１において、分岐線３０を接続される部分のシース２３、金属箔テープ２９及び押さえ巻きテープ２７が剥離された後、導体２６にコネクタ３１を介して分岐線３０が接続される。幹線２１と分岐線３０の接続部分は、支持線２２とともにモールド成形部３２により被覆される。
【特許文献１】特開平１０−２０８５５９号公報
【発明の開示】
【発明が解決しようとする課題】
【０００５】
しかし、上述した自己支持形ケーブル２０を使用した従来の通信ブランチケーブルでは、同一場所に複数本の幹線２１を布設する場合、それぞれの幹線２１について吊り上げ作業を行う必要があるため、施工性が低く、コストが増大するという問題があった。
【０００６】
また、支持線２２は、幹線２１への分岐線３０の接続作業に際して、幹線２１のシース２３を分離され、この状態で幹線２１からシース２３、金属箔テープ２９及び押さえ巻きテープ２７が剥離される。したがって、支持線２２は、幹線２１のシース２３を分離できるよう、薄肉に形成されたブリッジ部２４を介して、幹線２１のシース２３と一体化されている。ブリッジ部２４を薄肉に形成するためには、コストがかかり、更に幹線２１への分岐線３０の接続作業の作業性が低いという問題もあった。
【０００７】
本発明は、上記事情に鑑みてなされたものであり、複数本の幹線を１本の支持線で支持させることができ、同一場所に複数本の幹線を布設する場合等の施工性を、低コストで大幅に向上させることができる通信ブランチケーブルを提供することを目的とする。
【課題を解決するための手段】
【０００８】
１）本発明に係る通信ブランチケーブルは、同一方向に延設される複数本の幹線と、該各幹線にそれぞれ電気的に接続される分岐線と、前記各幹線に沿って配設され、前記各幹線への前記分岐線の接続部分とともにモールド成形されることにより、前記各幹線と一体化される１本の支持線とを備えたことを特徴とする。
【０００９】
２）本発明に係る通信ブランチケーブルは、前記１）記載の通信ブランチケーブルであって、前記各幹線への分岐線の接続部分が、それぞれ各幹線の延設方向に位置をずらして配置されることが好ましい。
【００１０】
３）本発明に係る通信ブランチケーブルは、前記１）又は２）記載の通信ブランチケーブルであって、前記支持線における前記分岐線の接続部分にそれぞれ対応する所定の位置には、留め具がモールド成形前に取り付けられており、前記各留め具は、それぞれ前記支持線とともにモールド成形されることが好ましい。
【発明の効果】
【００１１】
本発明の通信ブランチケーブルによれば、複数本の幹線を１本の支持線で支持させることができ、同一場所に複数本の幹線を布設する場合等の施工性を、低コストで大幅に向上させることができる。
【００１２】
また、複数本の幹線を１本の支持線で支持させることができ、同一場所に複数本の幹線を布設する場合等の施工性を、低コストで大幅に向上させることができる。また、各幹線への分岐線の接続部分に起因する外径の拡大を抑制させることができ、最大外径を最小限に抑えることができる。これにより、狭い施工場所等での施工性を向上させることができる。
【００１３】
更に、複数本の幹線を１本の支持線で支持させることができ、同一場所に複数本の幹線を布設する場合等の施工性を、低コストで大幅に向上させることができる。また、各幹線に対する支持線の長手方向のずれを確実に防止することができる。
【発明を実施するための最良の形態】
【００１４】
以下、図示実施形態により、本発明を説明する。
図１は、本発明の一実施形態である通信ブランチケーブルを示す要部断面図であり、図２は、図１の通信ブランチケーブルの施工状態の一例を示す断面図、図３は、図１の通信ブランチケーブルの留め金具を示す斜視図である。
【００１５】
図１〜図３を参照すると、本実施形態の通信ブランチケーブル１０は、同一方向に延設される複数本（図１では２本）の幹線１１を、１本の支持線１２により支持して構成される。
【００１６】
各幹線１１にはそれぞれ、分岐線１３が電気的に接続されるとともに、各幹線１１及び分岐線１３の接続部分はそれぞれ、熱可塑性樹脂等のモールド成形（成形部１４）により被覆されている。また支持線１２は、例えば銅線を防食層で被覆して構成されており、各幹線１１に沿って各幹線１１の全長に渡って配設されている。支持線１２は、各幹線１１への分岐線１３の接続部分とともにモールド成形（成形部１４）されることにより、各幹線１１と一体化される。
【００１７】
各幹線１１への分岐線１３の接続は、以下のように行われる。すなわち各幹線１１において、分岐線１３を接続される部分の絶縁被覆１１ａが剥離され、露出された導体１１ｂに、分岐線１３の導体１３ａが溶着等１５により接続される。この状態で、各幹線１１と分岐線１３の接続部分がそれぞれ、モールド成形（成形部１４）により被覆される。
【００１８】
各幹線１１への分岐線１３の接続部分はそれぞれ、図２に示すように、各幹線１１の延設方向に位置をずらして配置されている。したがって、成形部１４に起因する外径の拡大が抑制されるとともに、最大外径が最小限に抑えられ、例えば床１の貫通穴２を挿通させる等の狭い施工場所における施工性が向上される。
また、支持線１２における分岐線１３の接続部分にそれぞれ対応する所定の位置には、図３に示す留め具１６が、分岐線１３の接続部分のモールド成形前にそれぞれ加締めにより取り付けられている。各留め具１６はそれぞれ、支持線１２とともにモールド成形（成形部１４）される。各留め具１６により、各幹線１１に対する支持線１２の長手方向のずれが防止される。
【００１９】
以上のように上記実施形態によれば、複数本の幹線１１に沿って配設される１本の支持線１２が、各幹線１１への分岐線１３の接続部分とともにモールド成形（成形部１４）されることにより、各幹線１１と一体化されるので、複数本の幹線１１を１本の支持線１２で支持させることができる。これにより、同一場所に複数本の幹線１１を布設する場合等の施工時に、１度に複数本の幹線１１を吊り上げることができ、施工性を低コストで大幅に向上させることができる。
【００２０】
本発明により得られる通信ブランチケーブルは、複数本の弱電系ブランチケーブルを同一場所に布設する場合に好適に用いられ、低コストに高い施工性が得られる。
【図面の簡単な説明】
【００２１】
【図１】本発明の一実施形態である通信ブランチケーブルを示す要部断面図である。
【図２】図１の通信ブランチケーブルの施工状態の一例を示す断面図である。
【図３】図１の通信ブランチケーブルの留め金具を示す斜視図である。
【図４】従来の通信ブランチケーブルに用いられる自己支持形ケーブルを示す要部斜視図である。
【図５】図４の自己支持形ケーブルの分岐接続部を示す要部断面図である。
【符号の説明】
【００２２】
１０  通信ブランチケーブル
１１  幹線
１２  支持線
１３  分岐線
１４  成形部
１５  溶着等
１６  留め具（留め金具）
【図１】
2005353300.tif 000003
【図２】
2005353300.tif 000004
【図３】
2005353300.tif 000005
【図４】
2005353300.tif 000006
【図５】
2005353300.tif 000007